(57)【要約】【課題】長時間に渡って使用しても、患部当接部がずれることなく患部を保護することが可能な指袋部付包帯を提供する。【解決手段】指袋部付包帯１は、各指を挿入可能な指袋部２を有し、これらの指袋部２は袋本体部３に連結している。指袋部２の根元には、指袋部２の延在方向と直交する方向に沿って、切断部４が設けられている。この切断部４は切断部４に沿ってハサミ等で切断しても、繊維体が切断面からほぐれることはない。指袋部付包帯１を使用する場合は、怪我した指の指袋部２ａ以外の指の指袋部２を切断部４から切り離し、手に装着する。長時間に渡って指袋部２ａの患部当接部の繊維体が患部からずれたり、外れたりすることがない。【選択図】図２
2018079310.tif 000002
【特許請求の範囲】
【請求項１】
指ごとに挿入可能な指袋部を袋本体部に連結し、繊維体から成る指袋部付包帯であって、
前記指袋部のそれぞれの根元の前記袋本体部との連結個所に、前記指袋部の周囲方向に沿って、環状の切断部が設けられていることを特徴とする指袋部付包帯。
【請求項２】
前記切断部は前記指袋部の周囲方向に沿って、連続せずに点線状に配置したことを特徴とする請求項１に記載の指袋部付包帯。
【請求項３】
前記切断部には、繊維体が切断面からほつれることのない加工処理が施されていることを特徴とする請求項１又は２に記載の指袋部付包帯。
【請求項４】
前記切断部の前記袋本体部側に、指を締め付ける締付環部が設けられていることを特徴とする請求項１〜３の何れか１項に記載の指袋部付包帯。
【請求項５】
前記指袋部の表面には、滑り止め用のゴム突部が設けられていることを特徴とする請求項１〜４の何れか１項に記載の指袋部付包帯。
【請求項６】
前記根元よりも指先の指袋部に、前記根元に設けた前記切断部である第１の切断部とは別の第２の切断部が設けられていることを特徴とする請求項１〜５の何れか１項に記載の指袋部付包帯。
【発明の詳細な説明】
【技術分野】
【０００１】
本発明は、手足の指の患部を保護する指袋部付包帯に関するものである。
【背景技術】
【０００２】
手足の指に怪我をした場合に、治療等を行った後に患部にガーゼ等を当てて包帯を巻き付けた後にテーピング等を行い、患部からの出血、感染を防止すると共に患部を保護している。
【０００３】
しかし、このような指に巻き付けた包帯は弛み易く、形崩れして包帯が患部から外れてしまうことがある。また、手指に一人で包帯を巻く場合には、片手で行うために時間を要する。
【０００４】
特許文献１には、包帯本体の形崩れを防止するための指用のメリヤスネット包帯が開示されている。
【先行技術文献】
【特許文献】
【０００５】
【特許文献１】実用新案登録第３０１８４８７号公報
【発明の概要】
【発明が解決しようとする課題】
【０００６】
しかし、特許文献１の指用包帯を指の患部に装着した後に、長時間に渡って指を曲げるような動作を伴う手作業を行っていると、徐々に指用包帯が患部からずれてゆくことになる。特に、睡眠中には無意識に指用包帯を外してしまうことがある。
【０００７】
また、指から包帯がずれ難くするため、特許文献１の指用包帯は或る程度、指を締め付けているため、指の血行が悪くなり、指が曲げ難くなるなどの問題もある。更には、親指用と小指用とでは大きさの異なる指用包帯を別途に用意する必要がある。
【０００８】
本発明の目的は、長時間に渡って使用しても、患部からずれることなく、患部を保護可能な指袋部付包帯を提供することにある。
【課題を解決するための手段】
【０００９】
上記目的を達成するための本発明に係る指袋部付包帯は、指ごとに挿入可能な指袋部を袋本体部に連結し、繊維体から成る指袋部付包帯であって、前記指袋部のそれぞれの根元の前記袋本体部との連結個所に、前記指袋部の周囲方向に沿って、環状の切断部が設けられていることを特徴とする。
【発明の効果】
【００１０】
本発明に係る指袋部付包帯によれば、切断により怪我などをした指に対応する指袋部のみを残し得る手袋、靴下形状であり、長時間に渡って使用しても、指袋部の患部当接部の繊維体が患部からずれたり、外れることなく患部を保護することが可能である。
【図面の簡単な説明】
【００１１】
【図１】実施例１の指袋部付包帯の外観図である。
【図２】指袋部付包帯を手に装着した状態の説明図である。
【図３】各指袋部に複数の切断部を設けた指袋部付包帯の外観図である。
【図４】中指の指袋部を残し、その先端を切断した状態の外観図である。
【図５】別形態の手用の指袋部付包帯を装着した状態の外観図である。
【図６】別形態の手用の指袋部付包帯を装着した状態の外観図である。
【図７】実施例２の足用の指袋部付包帯を装着した状態の側面図である。
【図８】別形態の足用の指袋部付包帯を装着した状態の平面図である。
【図９】別形態の足用の指袋部付包帯を装着した状態の平面図である。
【発明を実施するための形態】
【００１２】
本発明を図示の実施例に基づいて詳細に説明する。
【実施例１】
【００１３】
図１は指袋部付包帯の外観図であり、図２は指袋部付包帯を手に装着した状態の説明図である。指袋部付包帯１は手袋状とされており、材質として包帯としても使用するメリヤス繊維、ナイロン繊維等の種々の繊維体を適宜に採択することができる。指袋部付包帯１の大きさは、大人用、子供用等の複数の大きさのものを準備し、適宜の大きさの指袋部付包帯１を選択して使用する。この指袋部付包帯１は右手、左手の両方の手に兼用することが可能である。
【００１４】
指袋部付包帯１は、各指ごとに挿入可能な指袋部２を有し、これらの指袋部２は手の甲を覆う袋本体部３に連結されている。指袋部２の根元の袋本体部３との連結個所には、指袋部２の指の長手方向と直交する方向である周囲方向に沿って、環状の切断部４が設けられている。
【００１５】
この切断部４は例えば繊維体にゴム素材、弾性ゴムラテックス等を浸透又は塗布して固着したものであり、切断部４に沿ってハサミ等で切断しても、繊維体が切断面からほつれることはないようにされている。
【００１６】
なお、切断部４を切断しても、ゴム素材等の固着以外に部分的な特殊な編み方をすることにより、繊維体が切断部４からほつれることのない適宜の加工処理を採用することができる。
【００１７】
また必要に応じて、切断部４の袋本体部３側には、例えば弾性ゴム糸等の弾性糸を編み込んで編成したリング状の締付環部５が設けられている。この締付環部５は装着時の各指の根元を或る程度、締め付けているが、切断部４自体が指を締め付ける弾性を有する構造であれば、締付環部５を設けなくても支障はない。或いは、指袋部付包帯１全体が弾性ゴム糸等の弾性糸を編み込んで編成した繊維体であれば、締付環部５は不要である。
【００１８】
指袋部付包帯１の手首部分には、手から抜け難くするために、締付環部６が設けられている。また、ゴルフ用の手袋のように、手首の締め付け具合を調整する面ファスナを手首部分に設けるようにしてもよい。このように、手に指袋部付包帯１を装着後に、手首部分を或る程度締め付ける構造にすることで、指袋部付包帯１の手からの脱落を防止することができる。
【００１９】
また、図示は省略しているが、指袋部付包帯１の手の平側の指袋部２の表面には、滑り止め用のゴム突部を設けるようにしてもよい。このゴム突部により、指袋部２によって物を保持する場合でも、滑り落とすことはない。上述の滑り止めのゴム突部は指袋部２の表面と裏面の両方に配置することもできる。
【００２０】
この指袋部付包帯１を使用する場合として、例えば左手の中指の爪付近に怪我をした場合には、図２に示すように先ず中指の指袋部２ａ以外の指の指袋部２を、切断部４からハサミ等を用いて切り離す。これにより、中指の指袋部２ａだけ残った指袋部付包帯１となり、これを左手に図２に示すように装着する。
【００２１】
怪我をした個所の出血が多いような場合では、ガーゼ等で指を保護した後に、その上から指袋部付包帯１を装着することが好ましい。
【００２２】
切断部４及び締付環部５は、各指袋部２の根元にそれぞれ設けているが、図３に示すように根元以外にも、根元上方の第１関節と第２関節の中間位置に沿って、切断部４’及び締付環部５’を配置してもよい。これにより、後述する指袋部付包帯１の使用時において、指の怪我の位置に応じて、切断部４、４’の切断個所を適宜に選択することができる。
【００２３】
例えば、中指の第２関節に怪我をした場合には、図４に示すように、指袋部付包帯１の中指以外の指袋部２ｂの切断部４と、中指の指袋部２の切断部４’とをハサミ等を用いて切り離すようにしてもよい。中指の指袋部２を切断部４’から切り離すことにより、中指の指先は自在に動かすことができる。
【００２４】
図５は、別形態の指袋部付包帯１’の外観図であり、指袋部付包帯１’の指への締め付けを緩和するために指袋部付包帯１の１つの環状の切断部４に代えて、指袋部２の根元の袋本体部３との連結個所の表面と裏面に、それぞれ指の幅方向に横断する切断部４”が配置されている。
【００２５】
また、図６の別形態の指袋部付包帯１”では、指袋部付包帯１の１つの環状の切断部４に代えて、連続せずに点線状に配置した切断部４”が設けられている。この切断部４”に指を締め付ける弾性の素材を採用し、切断部４”間の切断部４”を設けない部分を配置することで、弾性素材による締め付けと繊維体による伸縮とにより最適な指への締め付け具合を有することになる。
【００２６】
図５、図６の指袋部付包帯１’、１”に示すように指袋部２の指の長手方向と直交する方向に沿って、点線状に切断部４”を配置することで、上述のように最適な指への締め付け具合を得ることができると共に、ほつれが発生したとしても、隣接する切断部４”によってほつれが拡がることを防止できる。
【００２７】
また、上述のように指袋部２の根元の袋本体部３との連結個所は、最適な締め付け状態を有することになるので、図１〜図４に示すような締付環部５を設ける必要はない。
【実施例２】
【００２８】
図７は実施例２の足指に用いる靴下形状の指袋部付包帯１１の側面図である。実施例１の指袋部付包帯１と同様に、指袋部１２は足全体を覆う袋本体部１３に連結されている。
【００２９】
足首部分には締付環部１６が設けられ、指袋部付包帯１１は袋本体部１３から踵部が欠落した形状をしている。指袋部付包帯１１の各指袋部１２の根元の袋本体部１３との連結個所には、実施例１の指袋部付包帯１と同様に、切断部１４及び締付環部１５が設けられており、患部を覆った指袋部１２以外の指袋部１２を切断部１４から切り離して使用する。
【００３０】
図８、図９は別形態の指袋部付包帯１１’、１１”の平面図であり、何れも裸足感覚を考慮して袋本体部１３に対して、踝から踵までの部分が欠落し、足の甲に締付環部１６が配置されている。更に、図９の切断部１４’は、指袋部付包帯１１の環状の切断部１４に代えて、連続せずに点線状に配置されている。
【００３１】
なお、指袋部付包帯１１、１１’、１１”は特殊形状の袋本体部１３を図示しているが、踵部のある通常の靴下形状であってもよい。また、図９に示すような５本指に対応した指袋部２以外に、親指の指袋部２と、それ以外の４本の指を一体にしてまとめて覆う指袋部の２つの指袋部から成る足用の指袋部付包帯とすることもできる。
【００３２】
このように、指袋部付包帯１、１’、１”、１１、１１’、１１”を手又は足に装着することにより、長時間に渡って使用しても、指袋部２の患部当接部の繊維体が患部からずれたり、外れることがないので、睡眠中であっても安全に使用が可能である。また、患部の指以外の他の指は開放されているため、パソコンのキーボード入力作業のような手作業等を行っても、作業にさほど支障をきたすこともない。
【００３３】
このように、実施例の指袋部付包帯１、１’、１”、１１、１１’、１１”を用いることで、患指の出血、感染を防ぐと共に、繊維体の患部当接部が長時間に渡って使用しても、ずれたり外れることなく患部を保護することができる。
【符号の説明】
【００３４】
１、１’、１”、１１、１１’、１１”  指袋部付包帯
２、１２  指袋部
３、１３  袋本体部
４、４’、４”、１４、１４’  切断部
５、６、１５、１６  締付環部
【図１】
2018079310.tif 000003
【図２】
2018079310.tif 000004
【図３】
2018079310.tif 000005
【図４】
2018079310.tif 000006
【図５】
2018079310.tif 000007
【図６】
2018079310.tif 000008
【図７】
2018079310.tif 000009
【図８】
2018079310.tif 000010
【図９】
2018079310.tif 000011